(57)【要約】【課題】特別な部材を設けることなく、可動部材の動作を安定させることができる遊技機を提供する。【解決手段】パチンコ遊技機等の遊技機において、センター役物に可動役物１００が配設されている。この可動役物１００は、サブ液晶表示装置４００と、その周囲に設けられて表面に装飾部２１０が設けられた装飾部材２００と、サブ液晶表示装置４００及び装飾部材２００の前側を装飾部材２００の表面に沿って可動する可動部材３００とを有している。また、装飾部２１０が凹凸形状によって形成されており、当該凹凸形状の突出部２２０が、サブ液晶表示装置４００の周囲略全体に亘って配設されており、この突出部２２０の先端で、可動部材３００を表面に沿って可動させるときのガイド面２０１を構成しており、可動部材３００は、ガイド面２０１と摺動することでガイドされて、表面に沿って可動する。【選択図】図９
2015159881.tif 000002
【特許請求の範囲】
【請求項１】
表面に装飾部が設けられた装飾部材を有し、
前記表面に沿って可動する可動部材を有しており、
前記装飾部が凹凸形状によって形成され、当該凹凸形状の突出部が、所定の範囲に亘って配設されており、
所定の範囲に亘って配設された前記突出部の先端で、前記可動部材を前記表面に沿って可動させるときのガイド部を構成しており、
前記可動部材は、前記ガイド部と摺動することでガイドされて、前記表面に沿って可動するようになっていることを特徴とする遊技機。
【発明の詳細な説明】
【技術分野】
【０００１】
本発明は、遊技機に関し、特に、可動部材を用いて遊技演出を行う遊技機に関するものである。
【背景技術】
【０００２】
従来、パチンコ遊技機等の遊技機の中には、可動部材を有しており、所定の遊技演出に応じて、可動部材が所定の動作を行うようになっているものがある（例えば、特許文献１参照。）。
【先行技術文献】
【特許文献】
【０００３】
【特許文献１】特開２０１２−２３９８２２号公報
【発明の概要】
【発明が解決しようとする課題】
【０００４】
しかしながら、前記したような従来の遊技機では、可動部材の動作時にガタつく等、可動部材の動作が安定しない場合があり、これにより遊技の興趣を損なう虞があった。この不具合を解消するために、可動部材のガタつき等を抑えて動作を安定させるための部材等を設けることが考えられるが、可動部材の動作を安定させるためだけの部材等を設けようとすると、部品点数が増加したり、当該部材等の配置スペースが必要になったりする等の問題が生じる虞があった。
【０００５】
本発明は、このような事情に鑑みてなされたものであり、特別な部材を設けることなく、可動部材の動作を安定させることができる遊技機を提供することを目的とする。
【課題を解決するための手段】
【０００６】
かかる課題を解決するために、本発明の請求項１に記載の発明は、表面に装飾部が設けられた装飾部材を有し、前記表面に沿って可動する可動部材を有しており、前記装飾部が凹凸形状によって形成され、当該凹凸形状の突出部が、所定の範囲に亘って配設されており、所定の範囲に亘って配設された前記突出部の先端で、前記可動部材を前記表面に沿って可動させるときのガイド部を構成しており、前記可動部材は、前記ガイド部と摺動することでガイドされて、前記表面に沿って可動するようになっている遊技機としたことを特徴とする。
【０００７】
請求項１に係る発明によれば、装飾部材の装飾部における突出部の先端が、可動部材を摺動させるガイド部を構成しているため、特別な部材を設けることなく、可動部材の動作を安定させることができる。
【図面の簡単な説明】
【０００８】
【図１】本発明の実施の形態におけるパチンコ遊技機の正面図
【図２】同パチンコ遊技機の遊技盤の正面図
【図３】同パチンコ遊技機の可動役物の正面図
【図４】同パチンコ遊技機の可動役物の右側面図
【図５】同パチンコ遊技機の可動役物の可動部材が上下方向に可動した状態の正面図
【図６】図５の状態の右側面図
【図７】図３の可動部材が上下方向に可動した上で右回りに回動した状態の正面図
【図８】図３の可動部材が上下方向に可動した上で左回りに回動した状態の正面図
【図９】図３の可動役物の装飾部材の装飾部と可動部材との関係を示す拡大断面図
【発明を実施するための形態】
【０００９】
以下、本発明の実施の形態における遊技機として、パチンコ遊技機を例にして図面を参照しながら説明する。なお、以下の説明では、パチンコ遊技機を遊技者から見て、手前側（遊技者側）をパチンコ遊技機の前側（表面側）とし、奥側をパチンコ遊技機の後側（裏面側）として、前後方向を規定する。また、パチンコ遊技機を遊技者から見て、左手側をパチンコ遊技機の左側とし、右手側をパチンコ遊技機の右側として、左右方向を規定する。
【００１０】
まず、本実施の形態におけるパチンコ遊技機全体の概略構成について、図１及び図２を用いて説明する。図１は、本実施の形態におけるパチンコ遊技機の正面図であり、図２は、同パチンコ遊技機の遊技盤６の正面図である。
【００１１】
本実施の形態におけるパチンコ遊技機は、図１に示すように、外枠１、前枠２、窓枠３及び当該窓枠３に覆われた遊技盤６（図２）などを備えている。また、図示は省略するが、パチンコ遊技機の裏面には、液晶ディスプレイ型のメイン表示装置２０（図２）等の表示制御や可動役物１００（図２）及びＬＥＤなどの発光装置（図示省略）等による遊技演出の制御を行う表示演出サブ制御基板等のサブ制御基板、入賞時におけるパチンコ遊技機の動作等を含むパチンコ遊技機の主要な動作を制御する主制御基板、遊技球の払い出し動作を制御する払出基板、各基板等に電源を供給する電源基板等の各種基板が取り付けられている。
【００１２】
具体的に、外枠１は、パチンコホールの台島に設置されており、前後面が開口するように四角形状に形成されている。前枠２は、外枠１の前端面に左側辺部の垂直な軸を中心に回動可能に装着されている。また、図１に示すように、この前枠２には、窓枠３と、下皿ユニット４と、遊技盤６とが取り付けられている。
【００１３】
窓枠３は前枠２の前面に装着されている。この窓枠３は、左側辺部の垂直な軸を中心に、前枠２に対して回動可能になっている。窓枠３の中央には、図１に示すように、正面視で略円形状の窓枠開口部７が形成されている。この窓枠開口部７は、ガラス又はアクリル等の透明板８により被覆されている。また、窓枠開口部７の下方には、上皿ユニット９が配設されており、ここに、賞球や貸球を受けて貯留し、当該遊技球を発射装置（図示省略）に導く上皿１０が配置されている。また、窓枠開口部７の左右上方には、スピーカ１１がそれぞれ配設されている。また、窓枠３には複数の装飾ＬＥＤ（図示省略）が配設されている。
【００１４】
下皿ユニット４は、図１に示すように、前枠２の下部であって窓枠３の下方に取り付けられている。この下皿ユニット４の中央部には、上皿１０から溢れた遊技球が貯留される下皿１２が配設されている。また、下皿ユニット４の右部であって下皿１２の右方には、上皿１０に貯留された遊技球を後述する遊技領域６Ａにおける転動領域６Ｆに発射するための発射装置を遊技者が操作する操作ハンドル１４が配設されている。
【００１５】
次に、本実施の形態におけるパチンコ遊技機における遊技盤６の構成について、図２を用いて説明する。
【００１６】
この遊技盤６は、図２に示すように、遊技者と対向するように配置された板状の遊技板６Ｋと、当該遊技板６Ｋに配置される装飾部（図示省略）と、メイン表示装置２０と、可動役物１００等を有しており、これらが一体となって構成されている。
【００１７】
前記したように、この遊技盤６は、板状の遊技板６Ｋを備えており、この遊技板６Ｋにおける遊技者側の面である表面側（前側）に、遊技球が転動する領域である転動領域６Ｆを含む遊技領域６Ａが形成されている。遊技盤６は、窓枠３の後方であって、正面視で前枠２の下部を除く略全面に渡って配置されている。なお、遊技盤６の遊技領域６Ａは、窓枠３の窓枠開口部７の後方に配置され、前方から透明板８を介して視認可能に構成されている。
【００１８】
遊技板６Ｋには、図２に示すように、表面側に、外側ガイドレール６Ｂと内側ガイドレール６Ｃが固定されており、この外側ガイドレール６Ｂと内側ガイドレール６Ｃの間に、発射装置から発射された遊技球の発射通路６Ｄが区画形成されている。また、外側ガイドレール６Ｂ及び内側ガイドレール６Ｃで囲まれた内側領域に、遊技領域６Ａが区画形成されている。さらに、遊技領域６Ａには、遊技板６Ｋの板面より前方に突出して配置された枠状のセンター役物６Ｌが配設されており、このセンター役物６Ｌと外側ガイドレール６Ｂ及び内側ガイドレール６Ｃの間の領域が、遊技球が転動しながら流下する転動領域６Ｆとなっている。この転動領域６Ｆには、複数の遊技釘（図示省略）が打ち込まれており、発射通路６Ｄを通して転動領域６Ｆ内に放出された遊技球は、遊技釘に当りながら転動して転動領域６Ｆ内を流下し、最終的に後述する何れかの入賞口又は転動領域６Ｆの最下方に位置するアウト口６Ｅに入る転動遊技を行う。なお、センター役物６Ｌは、遊技板６Ｋの板面より突出し、かつ、枠状に形成されていることで、転動領域６Ｆを転動している遊技球が、後述するメイン表示装置２０側に入り込むことを防止している。
【００１９】
また、図２に示すように、遊技領域６Ａにおける下部の転動領域６Ｆには、第一始動入賞口１５が配置されている。この第一始動入賞口１５は、遊技球が入賞することによって、遊技者に有利な大当り遊技状態を発生させるか否かの判定を行う起点となるものであり、上方に開口するポケット状に形成されている。
【００２０】
また、図２に示すように、第一始動入賞口１５の下方には、第二始動入賞口１６が配置されている。この第二始動入賞口１６は、開閉可能な一対の可動片１６Ａを備えており、可動片１６Ａが閉じているときには第二始動入賞口１６には遊技球が入賞しないようになっており、所定条件に基づいて可動片１６Ａが開放されると第二始動入賞口１６に遊技球が入賞可能となるものである。なお、第二始動入賞口１６は、可動片１６Ａが閉じているときには遊技球が入賞可能だが入賞し難くなっており、可動片１６Ａが開放されると遊技球が入賞し易くなるようになっていても良い。
【００２１】
また、図２に示すように、第二始動入賞口１６の下方には、大入賞口１７が配置されている。この大入賞口１７は、駆動装置により開閉する可動板１７Ａを備えており、この可動板１７Ａは、遊技状態が大当り遊技状態になると手前下方に開き、その際には大入賞口１７が上方に向かって幅広く開口し、多数の遊技球が同時かつ連続的に大入賞口１７に入賞可能となる。
【００２２】
また、図２に示すように、転動領域６Ｆ内の所定位置には、遊技球が入賞可能な一般入賞口１９が上方に開口するポケット状に形成されている（本実施の形態では、転動領域６Ｆの左下部及び右下部に複数の一般入賞口１９が形成されている）。
【００２３】
また、遊技盤６における遊技領域６Ａのほぼ中央部（第一始動入賞口１５の上方）には、図２に示すように、液晶ディスプレイ型のメイン表示装置２０が設けられている。このメイン表示装置２０は、大当り遊技状態を発生させるか否かの判定結果に基づき変動演出表示を行う広い面積のメイン表示画面２０Ａを有している。
【００２４】
また、図２に示すように、このメイン表示装置２０の下部を覆う位置の遊技板６Ｋには、ステージ１３が形成されている。また、このステージ１３の水平方向における中央部の下部には排出口１３Ａが設けられており、遊技球が、ワープ通路（図示省略）等を通って当該ステージ１３に至った後、排出口１３Ａから下方に落下すると、第一始動入賞口１５に入賞し易い位置に落下し、他の部位から下方に落下すると、第一始動入賞口１５に入賞し難い位置に落下するように構成されている。
【００２５】
そして、第一始動入賞口１５又は第二始動入賞口１６に遊技球が入賞すると、内部に設けられたセンサ（図示省略）が遊技球を検知して検知信号を送信し、この検知信号に応じて主制御基板が特別図柄遊技の抽選を行う。この抽選が行われると、所定の特別図柄（図示省略）が変動表示され、所定の変動期間を経過した後に停止表示され、特別図柄の当り又は外れ（大当りか否か）の判定結果を報知するようになっている。この抽選が当り（大当り）であったときには、大入賞口１７を開口させる大当り遊技状態となる。また、この抽選の際には、メイン表示装置２０のメイン表示画面２０Ａにおいて所定の画像表示を行い、抽選及びその結果を報知するようになっている。
【００２６】
次に、本実施の形態の可動役物１００について、図２〜図９を用いて説明する。図３，図４は、本実施の形態におけるパチンコ遊技機の可動役物１００の正面図，右側面図である。図５，図６は、本実施の形態におけるパチンコ遊技機の可動役物１００の可動部材３００が上下方向に可動した状態の正面図，右側面図である。図７は、本実施の形態におけるパチンコ遊技機の可動役物１００の可動部材３００が上下方向に可動した上で右回りに回動した状態の正面図である。図８は、本実施の形態におけるパチンコ遊技機の可動役物１００の可動部材３００が上下方向に可動した上で左回りに回動した状態の正面図である。図９は、本実施の形態におけるパチンコ遊技機の可動役物１００における装飾部材２００の装飾部２１０と可動部材３００との関係を示す拡大断面図である。
【００２７】
本実施の形態における可動役物１００は、図２に示すように、メイン表示装置２０のメイン表示画面２０Ａの上方のセンター役物６Ｌに配設されており、図３に示すような２つのアーム１０１，１０１を介して遊技盤６に支持されており、所定の遊技演出に応じて、可動するものである。また、本実施の形態の可動役物１００は、図４及び図５に示すように、装飾部材２００と可動部材３００と表示装置としてのサブ液晶表示装置４００とを有しており、サブ液晶表示装置４００における表示画面としてのサブ液晶表示画面４１０の周囲に装飾部材２００が配設されており、この装飾部材２００の表面に沿って、可動部材３００がサブ液晶表示装置４００及び装飾部材２００の表面側をスライド移動するようになっている。
【００２８】
このうち、サブ液晶表示装置４００は、図５及び図６に示すように、表面側に所定の大きさのサブ液晶表示画面４１０を備えており、所定の遊技演出に応じて、種々の演出表示を行うようになっている。
【００２９】
また、装飾部材２００は、図５，図７，図８に示すように、サブ液晶表示装置４００の前方かつサブ液晶表示画面４１０の周囲に配設された部材であり、本実施の形態では、サブ液晶表示画面４１０を臨むように略ロ字状に形成されている。また、装飾部材２００の表面には、装飾部２１０が設けられている。本実施の形態では、サブ液晶表示画面４１０の上方部分及び下方部分に、カタカナの「フ」を模した装飾を左右方向に連続して配置した構成の装飾部２１０が設けられている。また、本実施の形態では、サブ液晶表示画面４１０の左方部分及び右方部分に、上下方向に連続して延びる波線形状の装飾部２１０が設けられている。そして、これらの装飾部２１０によって、サブ液晶表示画面４１０の周囲を取り囲んでいる。
【００３０】
また、装飾部２１０は、主に凹凸形状によって形成されており、前記した「フ」を模した装飾や波線形状は、当該凹凸形状によって形成されている。そして、それぞれの部分の装飾部２１０における凹凸形状の最も高く凸形状となった部分が、図５，図７〜図９に示すように、突出部２２０としてサブ液晶表示画面４１０の周囲を取り囲むように配置されており、また、これら突出部２２０の突出先の先端が全て同じ平面上に位置するように構成されており、これがガイド面２０１を形成している。すなわち、それぞれの部分の装飾部２１０において最も高く突出した突出部２２０の先端は、どの部分でも同じ高さ（ここでは、遊技板の板面に略平行な同じ平面上）になるように形成されており、このため、これらの突出部２２０の先端によって形成される面で、後述する可動部材３００をガイドするガイド部としてのガイド面２０１を構成するようになっている。
【００３１】
また、可動部材３００は、図３〜図６に示すように、装飾部材２００及びサブ液晶表示画面４１０の表面側に沿って、スライド移動するように構成された部材であり、本実施の形態では、上側可動部材３１０と下側可動部材３２０の２つの部材を有している。また、上側可動部材３１０と下側可動部材３２０は、それぞれが当接したり離間したりするように装飾部材２００上を上下方向にスライド移動するように構成されており、図示しないモータ等の駆動源を有する駆動機構によって当該スライド移動が行えるように構成されている。
【００３２】
本実施の形態では、図３及び図５に示すように、表面側に口の上顎を模した装飾が施された上側可動部材３１０と、表面側に口の下顎を模した装飾が施された下側可動部材３２０とが、それぞれ上下方向にスライド移動するようになっており、この上側可動部材３１０と下側可動部材３２０の動きにより、口が開いたり閉じたりする動きを模している。また、このとき、図５，図６，図９に示すように、上側可動部材３１０の裏面側に略平面形状に形成された上側摺動面３１１と下側可動部材３２０の裏面側に略平面形状に形成された下側摺動面３２１とが、それぞれ装飾部材２００の装飾部２１０の突出部２２０で形成されたガイド面２０１と当接するようになっており、これらが摺動することで、ガイド面２０１が、可動部材３００を表面に沿って可動させるようになっている。
【００３３】
また、本実施の形態の可動部材３００は、図５に示すように、上側可動部材３１０と下側可動部材３２０が上下に開いた状態から、図７及び図８に示すように、装飾部材２００の表面に沿って（装飾部２１０の突出部２２０の先端で形成されたガイド面２０１に、上側摺動面３１１と下側摺動面３２１が摺動して）、右回り方向や左回り方向にスイングするように回動する構成となっている。なお、本実施の形態では、図４及び図６に示すモータ１１０等の駆動源と図示しない駆動機構により、当該上下に開いた状態の上側可動部材３１０と下側可動部材３２０を右回り方向や左回り方向にスイングするように回動させるようになっている。
【００３４】
また、本実施の形態では、サブ液晶表示画面４１０の周囲に設けられた複数の突出部２２０同士が、所定の短い間隔以下で配置されており、これにより、突出部２２０の先端で構成されたガイド面２０１上を摺動する可動部材３００が、突出部２２０同士の間隙に嵌ったり当該間隙を通る際にガタついたりしないように構成されている。なお、突出部２２０が、サブ液晶表示画面４１０の周囲を途切れることなく連続して１周するように環状に設けられる形状となっており、この１つの突出部２２０でガイド面２０１を構成していても良い。この場合には、突出部２２０同士の間に間隙が発生するということがないため、可動部材３００がよりスムーズにガイド面２０１上を摺動することができる。
【００３５】
また、本実施の形態では、図９に示すように、装飾部材２００の装飾部２１０は、突出部２２０の先端で形成されたガイド面２０１以外の面に塗装２３０が施されている。この塗装２３０は、蒸着によって、一旦、突出部２２０の先端を含む全体に対して色を付け、その後、レーザーを用いて、突出部２２０の先端の塗装２３０だけを取り除くレーザーカット法によって形成されている。
【００３６】
そして、このように、上側可動部材３１０の上側摺動面３１１及び下側可動部材３２０の下側摺動面３２１と当接して摺動する（図９の実線で示された上側可動部材３１０の上側摺動面３１１及び二点鎖線で示された上側可動部材３１０の上側摺動面３１１参照）突出部２２０の先端（ガイド面２０１）に予め塗装２３０を施さないようにすることで、可動部材３００と装飾部材２００との摺動によって塗装２３０が剥げてしまうことがなくなり、装飾部材２００の装飾部２１０の意匠が変化してしまう不具合を防止することができる。
【００３７】
以上のように、本実施の形態のパチンコ遊技機は、表面に装飾部２１０が設けられた装飾部材２００を有し、前記表面に沿って可動する可動部材３００を有しており、前記装飾部２１０が凹凸形状によって形成され、当該凹凸形状の突出部２２０が、所定の範囲に亘って配設されており、所定の範囲に亘って配設された前記突出部の先端で、前記可動部材３００を前記表面に沿って可動させるときのガイド面（ガイド部）２０１を構成しており、前記可動部材３００は、前記ガイド面（ガイド部）２０１と摺動することでガイドされて、前記表面に沿って可動するようになっていることを特徴とする。
【００３８】
そして、本実施の形態によれば、装飾部材２００の装飾部２１０における突出部２２０の先端２０１が、可動部材３００を摺動させるガイド面（ガイド部）２０１を構成しているため、特別な部材を設けることなく、可動部材３００の動作を安定させることができる。
【００３９】
また、本実施の形態のパチンコ遊技機は、これに加え、前記装飾部材２００は、前記表面側に向けて配置されたサブ液晶表示装置（表示装置）４００のサブ液晶表示画面（表示画面）４１０の周囲に前記装飾部２１０が設けられており、前記突出部２２０の先端は、前記サブ液晶表示画面（表示画面）４１０の周囲を取り囲むように前記ガイド面（ガイド部）２０１を形成しており、前記可動部材３００は、前記ガイド面（ガイド部）２０１と摺動することでガイドされて、前記サブ液晶表示画面（表示画面）４１０の周囲の前記表面に沿って可動するようになっていることを特徴とする。
【００４０】
そして、本実施の形態によれば、装飾部材２００の装飾部２１０におけるガイド面（ガイド部）２０１がサブ液晶表示画面（表示画面）４１０の周囲を取り囲むように形成されているため、サブ液晶表示画面（表示画面）４１０上やサブ液晶表示画面（表示画面）４１０の周囲を可動する可動部材３００が、当該範囲のどの位置で可動しても、特別な部材を設けることなく、安定して可動部材３００をガイドすることができる。
【００４１】
また、本実施の形態のパチンコ遊技機は、これに加え、前記装飾部２１０は、前記ガイド面（ガイド部）２０１以外の面に塗装２３０が施されていることを特徴とする。
【００４２】
そして、本実施の形態によれば、装飾部材２００の装飾部２１０において可動部材３００と摺動するガイド面（ガイド部）２０１には、予め塗装２３０が施されていない状態となっているため、可動部材３００との摺動によって塗装２３０が剥げてしまうことがなく、これにより、装飾部材２００のガイド面（ガイド部）２０１が可動部材３００を摺動させてガイドする機能を有していても、装飾部材２００の装飾部２１０の意匠が変化しないようにすることができる。
【００４３】
なお、以上説明した実施の形態は、本発明の理解を容易にするために記載されたものであって、本発明を限定するために記載されたものではない。
【００４４】
例えば、前記した実施の形態では、パチンコ遊技機を用いて説明したが、これに限るものではなく、本発明は、パチスロ遊技機や雀球遊技機、アレンジボール等の他の遊技機にも適用可能である。
【００４５】
また、前記した実施の形態では、サブ液晶表示画面４１０の周囲に装飾部材２００が配設されており、サブ液晶表示画面４１０の開閉及びサブ液晶表示画面４１０の周囲を回動するためにサブ液晶表示画面４１０の前面側に配設された可動部材３００が、装飾部材２００の装飾部２１０における突出部２２０の先端でサブ液晶表示画面４１０の周囲を取り囲むように形成されたガイド面（ガイド部）２０１と摺動してガイドされるようになっていたが、これに限るものではない。例えば、表示装置が液晶表示装置でなく、ランプ表示装置等の他の表示装置であっても良く、また、表示装置がサブ表示装置でなく、メイン表示装置であっても良い。さらに、サブ液晶表示画面等の表示画面を有しない装飾部材（装飾だけの部材や可動する演出部材の近傍に設けられた部材を含む）上を可動部材がスライド移動するように構成されており、当該可動部材が、装飾部材の装飾部に設けられた突出部の先端で形成されたガイド面（ガイド部）と摺動してガイドされるようになっていても良い。
【００４６】
また、前記した実施の形態では、装飾部材２００と可動部材３００とサブ液晶表示装置４００とを備えた可動役物１００が、メイン表示装置２０のメイン表示画面２０Ａの上方のセンター役物６Ｌに配設されていたが、これに限るものではなく、本発明の構成を有する装飾部材と可動部材は、遊技機の適宜の位置に配設されていれば良い。また、装飾部材と可動部材の形状や大きさについても、前記した実施の形態に限るものではなく、適宜に構成されれば良い。また、前記した実施の形態では、装飾部材２００と可動部材３００とサブ液晶表示装置４００とを備えた可動役物１００自体は移動するものではなかったが、これに限るものではなく、装飾部材又は可動役物全体が移動可能となっており、その上で装飾部材に対して可動部材が可動するようになっていても良い。
【００４７】
また、前記した実施の形態では、可動部材が遊技板の板面と略平行な平面上をスライド移動するものであり、突出部の先端で形成されるガイド部も平面上のガイド面に構成されていたが、これに限るものではない。例えば、可動部材が遊技板の板面と平行でない向きの面（上向きの面や斜めに向いた面等）に沿ってスライド移動するものであっても良い。この場合には、突出部の突出方向やガイド面の向きも可動部材の移動する向きに合わせて構成する。
【００４８】
さらに、可動部材がスライド移動以外の移動方法（曲面上を曲面に沿って移動する場合や、段差のある箇所を段差に沿って移動する場合等）で移動するようになっており、この移動をガイド部でガイドするようになっていても良い。この場合には、突出部の突出位置や突出方向、突出量等を可動部材の移動する位置や移動方法等に合わせて構成する。
【符号の説明】
【００４９】
２００…装飾部材、２０１…ガイド面（ガイド部）、２１０…装飾部、２２０…突出部、２３０…塗装、３００…可動部材、４００…サブ液晶表示装置（表示装置）、４１０…サブ液晶表示画面（表示画面）
【図１】
2015159881.tif 000003
【図２】
2015159881.tif 000004
【図３】
2015159881.tif 000005
【図４】
2015159881.tif 000006
【図５】
2015159881.tif 000007
【図６】
2015159881.tif 000008
【図７】
2015159881.tif 000009
【図８】
2015159881.tif 000010
【図９】
2015159881.tif 000011